(57)【特許請求の範囲】
【請求項１】
前側を開口して内部に光源を収納する筒状の収納部を有する灯体と、
レンズを有するレンズユニットであって前記収納部の前側から前記収納部に出し入れされ前記収納部に収納されたときに前記収納部に収納された光源の前に配置されるレンズユニットとを備え、
前記レンズユニットは前記レンズの出射面が配置される側に突起した摘み部を有し、
前記レンズユニットは前記レンズとして複数のレンズを有し、
前記複数のレンズは前記摘み部の周囲に配置される
ことを特徴とする照明器具。
【請求項２】
前記レンズユニットは、
前記複数のレンズが取り付けられるレンズホルダーと、
表側に前記摘み部を有し、裏側に前記レンズホルダーが取り付けられるレンズカバーとを備える
ことを特徴とする請求項１記載の照明器具。
【請求項３】
前記レンズカバーは前記摘み部内に前記レンズカバーの裏側に貫通したネジ穴を有し、
前記レンズホルダーは前記摘み部内の前記ネジ穴を用いて前記レンズカバーにネジ止めされる
ことを特徴とする請求項２記載の照明器具。
【請求項４】
前記レンズユニットは特定の光学特性を有するシートを前記レンズホルダーと前記レンズカバーとの間に備えることを特徴とする請求項２または請求項３記載の照明器具。
【請求項５】
前記シートは上下左右非対照の形状であることを特徴とする請求項４記載の照明器具。
【請求項６】
前記シートは２つの切欠きを有し、２つの切欠きを結んだ直線が前記シートの中心を通らない形状であることを特徴とする請求項５記載の照明器具。
【請求項７】
前記複数のレンズの各レンズは出射面の周部にレンズの配光特性に応じた形状の識別部を有することを特徴とする請求項２〜請求項６いずれかに記載の照明器具。
【請求項８】
前記レンズホルダーは前記識別部を収める識別対応部であって異なる形状の識別部に対応する形状の識別対応部を有する
ことを特徴とする請求項７記載の照明器具。
【請求項９】
前記レンズホルダーは前記識別部の形状が異なる前記複数のレンズのうち特定レンズの前記識別部と係合する形状の識別対応部を有する
ことを特徴とする請求項７記載の照明器具。
【請求項１０】
前記灯体の前記収納部は前記レンズユニットに係合する灯体側係合部を有し、
前記レンズユニットは前記灯体側係合部と係合するユニット側係合部を有する
ことを特徴とする請求項１〜請求項９いずれかに記載の照明器具。
【発明の詳細な説明】
【技術分野】
【０００１】
本発明は、工具等を使用せずに着脱可能なレンズユニットを有する照明器具に関するものである。
【背景技術】
【０００２】
ＬＥＤ照明器具において、目的に適した配光特性を得る手段としてレンズを使用する方法が広く知られている（例えば、特許文献１）。
また、レンズを交換して、配光特性を変える技術も知られている（例えば、特許文献２、特許文献３）。
また、取り付けばねを灯具内に接触させて、反射板を灯具内に取り付ける構造が知られている（例えば、特許文献４）。
【先行技術文献】
【特許文献】
【０００３】
【特許文献１】特開２００９−９８２６号公報
【特許文献２】特開２００２−３０４９０３号公報
【特許文献３】特開２００９−２７７５５２号公報
【特許文献４】特開２００９−２６６５６９号公報
【発明の概要】
【発明が解決しようとする課題】
【０００４】
照明器具メーカーから、配光特性の異なる複数の照明器具が販売されている。通常、ユーザはその中から、使用目的にあった配光特性をもった照明器具を購入して使用している。
しかし、ユーザには照明器具を設置したときの状態を確認した上で配光特性を決定したいという要望がある。
【０００５】
本発明は、例えば、配光特性の変更が容易な照明器具を提供できるようにすることを目的とする。
【課題を解決するための手段】
【０００６】
本発明の照明器具は、前側を開口して後ろ側に光源を収納する筒状の収納部を有する灯体と、レンズを取り付けられるレンズユニットであって前記収納部の前側から前記収納部に出し入れされ前記収納部に収納されたときに前記収納部に収納された光源の前に配置されるレンズユニットとを備える。
【発明の効果】
【０００７】
本発明によれば、レンズユニットを交換することにより照明器具の配光特性を変更することができる。
【図面の簡単な説明】
【０００８】
【図１】実施の形態１における照明器具１００の外観斜視図。
【図２】実施の形態１における灯具２００の分解斜視図。
【図３】実施の形態１においてＬＥＤモジュール２０に被せられたＬＥＤモジュールカバー３０を示す図。
【図４】実施の形態１においてレンズユニット４０を取り付ける前の灯具２００を示す斜視図。
【図５】実施の形態１においてレンズユニット４０を取り付けた後の灯具２００を示す斜視図。
【図６】実施の形態１における灯具２００の断面図。
【図７】実施の形態１における灯具２００の部分拡大図。
【図８】実施の形態１におけるレンズユニット４０の分解斜視図。
【図９】実施の形態１におけるレンズユニット４０の分解斜視図。
【図１０】実施の形態１におけるシート４３とレンズカバー４４との背面図。
【図１１】実施の形態１におけるレンズユニット４０の正面図と断面図。
【図１２】実施の形態１におけるレンズユニット４０のツマミ部４４ｃの形状例を示す図。
【図１３】実施の形態１におけるレンズカバー４４の別形態を示す図。
【図１４】実施の形態１におけるレンズカバー４４の別形態を示す図。
【図１５】実施の形態２におけるレンズ４１の斜視図。
【図１６】実施の形態２におけるレンズユニット４０の分解斜視図。
【図１７】実施の形態２におけるレンズユニット４０の分解斜視図。
【図１８】実施の形態３（実施例１）における灯体１０の分解斜視図。
【図１９】実施の形態３（実施例２）における灯体１０の分解斜視図。
【発明を実施するための形態】
【０００９】
実施の形態１．
レンズを取り換え可能なレンズユニットに摘み部分を設けてレンズユニットの交換を容易にした照明器具について説明する。
【００１０】
図１は、実施の形態１における照明器具１００の外観斜視図である。
実施の形態１における照明器具１００の構成について、図１に基づいて以下に説明する。
【００１１】
照明器具１００は、灯具２００、ユニット本体３００およびアーム４００を備える。
【００１２】
灯具２００は、光源を有するランプである。
ユニット本体３００は、天井や壁などに取り付けられる本体である。ユニット本体３００内には、商用電源から供給される電力を光源に供給する電源装置を収納する。
アーム４００は、ユニット本体３００に灯具２００を接続する筒状の支持棒である。アーム４００内に電線を通してユニット本体３００と灯具２００とを電気的に接続する。
【００１３】
図２は、実施の形態１における灯具２００の分解斜視図である。
実施の形態１における灯具２００の構成について、図２に基づいて以下に説明する。
【００１４】
灯具２００は、灯体１０、ＬＥＤモジュール２０、ＬＥＤモジュールカバー３０、レンズユニット４０およびリングバネ５０を備える。
【００１５】
灯体１０は、灯具２００の本体となる円筒体である。灯体１０は、前側を開口して内部にＬＥＤモジュール２０とＬＥＤモジュールカバー３０とレンズユニット４０とを収納する収納部１０ｆを有する。
ＬＥＤモジュール２０は、ＬＥＤ２２を光源として実装したものである。ＬＥＤ２２は光源の一例である。ＬＥＤ２２の代わりに蛍光灯やＥＬなどの光源を用いても構わない。
ＬＥＤモジュールカバー３０は、ＬＥＤモジュール２０を覆うカバーである。
レンズユニット４０は、所望の配光特性を有するレンズ４１を取り付けたものである。
リングバネ５０は、ＬＥＤモジュール２０とＬＥＤモジュールカバー３０とレンズユニット４０とを灯体１０内に固定するものである。
【００１６】
ＬＥＤモジュール２０は、基板２１、ＬＥＤ２２およびコネクタ２３を備える。
ＬＥＤ２２とＬＥＤ２２に電力を供給する電線を接続するコネクタ２３とを基板２１に実装し、基板２１を灯体１０の内側に固定する。コネクタ２３に接続する電線はアーム４００を介してユニット本体３００から配線される。
ＬＥＤ２２はＬＥＤモジュール２０に４つ備わり、４つのＬＥＤ２２は円板状の基板２１に円周状に並べられている。ＬＥＤ２２の個数は３つ以下または５つ以上であっても構わない。
【００１７】
図３は、実施の形態１においてＬＥＤモジュール２０に被せられたＬＥＤモジュールカバー３０を示す図である。
図３（１）は平面図と平面図に示すＡ−Ａ断面を表す断面図であり、図３（２）は斜視図である。
実施の形態１におけるＬＥＤモジュールカバー３０について、図３に基づいて以下に説明する。
【００１８】
ＬＥＤモジュールカバー３０は、ＬＥＤモジュール２０を覆うカバーとしての機能（後述するコネクタ保護部３２）とＬＥＤ２２の光を反射する反射板としての機能（後述する反射部３１）とを有する。
【００１９】
ＬＥＤモジュールカバー３０は、反射部３１、コネクタ保護部３２および収納凹部３３を有する。
【００２０】
ＬＥＤモジュールカバー３０には、ＬＥＤモジュール２０の４つのＬＥＤ２２と対応するように４つの椀状の窪みを設けている。窪みの底部は開口している。４つの窪みは円板状のＬＥＤモジュールカバー３０に円周状に並べられている。ＬＥＤモジュールカバー３０をＬＥＤモジュール２０に被せたとき、ＬＥＤモジュールカバー３０の各窪みの底部にはＬＥＤモジュール２０のＬＥＤ２２が位置する。
ＬＥＤモジュールカバー３０の各窪みの側部は、ＬＥＤ２２の光を反射する反射面を構成する。以下、この反射面を「反射部３１」という。
【００２１】
コネクタ保護部３２は、ＬＥＤモジュールカバー３０がＬＥＤモジュール２０に被せられたときにＬＥＤモジュール２０のコネクタ２３を覆い、電線を外されないようにコネクタ２３を保護する。
【００２２】
収納凹部３３は、後述するようにレンズユニット４０のツマミ部４４ｃに挿入されるネジ４５の頭部を収める穴である。
【００２３】
ユニット本体３００の電源装置が非絶縁型である場合、ＬＥＤモジュール２０の電極露出部に触れて感電することを防ぐため、ＬＥＤモジュール２０の電極露出部（例えば、反射部３１の底部）に樹脂を充填するとよい。また、ＬＥＤモジュール２０の電極露出部が隠れるように又は指が入らないように反射部３１を狭めてもよい。
【００２４】
図４は、実施の形態１においてレンズユニット４０を取り付ける前の灯具２００を示す斜視図である。
図５は、実施の形態１においてレンズユニット４０を取り付けた後の灯具２００を示す斜視図である。
実施の形態１における灯具２００の組み立て方法について、図４と図５とに基づいて以下に説明する。
【００２５】
灯具２００には、ＬＥＤモジュール２０（ＬＥＤ２２、コネクタ２３）とＬＥＤモジュールカバー３０（反射部３１、コネクタ保護部３２、収納凹部３３）とを収納する（図４参照）。
さらに、灯具２００にレンズユニット４０を収納し、リングバネ５０（支持部５０ａ、ツマミ部５０ｂ）でレンズユニット４０を固定する（図５参照）。
レンズユニット４０を灯具２００に収納する際、レンズユニット４０のレンズ４１はＬＥＤモジュールカバー３０の反射部３１に収まり、レンズユニット４０のネジ４５はＬＥＤモジュールカバー３０の収納凹部３３に収まる（図４参照）。
【００２６】
図４に示すように、灯具２００の内側には、ガイド凸部１０ａと挿入溝１０ｂとが設けられている。
ガイド凸部１０ａは、レンズユニット４０のガイド凹部４４ａと対になる半円状の突部であり、レンズユニット４０を位置決めする。ガイド凸部１０ａでレンズユニット４０を位置決めすることにより、レンズユニット４０のレンズ４１をＬＥＤモジュールカバー３０の反射部３１に収めることができる。
挿入溝１０ｂは、リングバネ５０を嵌め込む溝である。
レンズユニット４０のガイド凹部４４ａと灯体１０のガイド凸部１０ａとが噛み合うようにレンズユニット４０を灯体１０に嵌め込み、リングバネ５０を灯体１０の挿入溝１０ｂに嵌め込んでレンズユニット４０を灯体１０に固定させる。
【００２７】
リングバネ５０は、一部が開口する輪状（Ｃ字状）の弾性体である（図１参照）。
リングバネ５０の数か所は内側にへこみ、リングバネ５０の両端（開口部分）はＬ字状に折り曲げられている。実施の形態において、リングバネ５０のへこみを「支持部５０ａ」といい、リングバネ５０の両端を「ツマミ部５０ｂ」という。
図５に示すように、リングバネ５０の支持部５０ａがレンズユニット４０はに引っ掛かるため、灯体１０から外れ落ちない。
【００２８】
リングバネ５０は、両端のツマミ部５０ｂを摘まんでリングバネ５０の開口部を閉じることにより、灯体１０の挿入溝１０ｂから簡単に外れる。これにより、レンズユニット４０を灯体１０から取り外して交換することが容易になる。
【００２９】
リングバネ５０を嵌め込む挿入溝１０ｂを深めにし、奥に進むにつれて外側へ傾斜させてもよい。
こうした場合、リングバネ５０を挿入溝１０ｂに嵌め込んだときに、リングバネ５０が復元力により挿入溝１０ｂの傾斜に沿って挿入溝１０ｂの奥へ移動する。このとき、リングバネ５０にはレンズユニット４０を灯体１０の奥の方（ＬＥＤモジュール２０側）に押し入れる応力が発生する。
つまり、挿入溝１０ｂに傾斜を設けることにより、レンズユニット４０をよりしっかりと灯体１０に固定し、レンズユニット４０のグラつきを防ぐことができる。
【００３０】
図６に灯具２００の断面図を示し、図７にリングバネ５０が嵌め込まれた部分（図６のＢ部分）の拡大図を示す。
【００３１】
図８、図９は、実施の形態１におけるレンズユニット４０の分解斜視図である。図８はレンズユニット４０を表側から示し、図９はレンズユニット４０を裏側から示している。
実施の形態１におけるレンズユニット４０について、図８および図９に基づいて以下に説明する。
【００３２】
レンズユニット４０は、レンズ４１、レンズホルダー４２、シート４３およびレンズカバー４４を備える。
レンズ４１はレンズホルダー４２に取り付けられ、レンズホルダー４２およびシート４３はレンズカバー４４の裏側に収納される。
レンズホルダー４２、シート４３およびレンズカバー４４はネジ４５によって結合される。
【００３３】
レンズホルダー４２は、レンズ４１を嵌め込む開口部を有する。以下、この開口部を「レンズ取付部４２ａ」という。
さらに、レンズホルダー４２は、ネジ挿入穴４２ｂ、凹部４２ｃおよび切欠部４２ｄを有する。
ネジ挿入穴４２ｂはネジ４５を挿入する部分であり、凹部４２ｃはレンズカバー４４のガイド凹部４４ａに対応する部分であり、切欠部４２ｄはレンズカバー４４の突部４４ｆ（図９参照）に対応する部分である。
【００３４】
レンズ４１は、頂部が陥没している山の形状を成し（図９参照）、特定の配光特性（光度分布の特性）を有する。
レンズ４１の前面（山状の底部）には、帽子のつばのように出っ張ったツバ部４１ａを有する。
レンズ４１は、レンズホルダー４２のレンズ取付部４２ａに嵌め込まれ、ツバ部４１ａでレンズ取付部４２ａに係止する。
【００３５】
シート４３は、レンズ４１の前面に被せるものであり、特定の光学特性を有する。
配光を変化させる拡散シートや光の色を変化させるカラーフィルターは、シート４３の一例である。シート４３は、単にレンズ４１に傷やホコリがつくことを防ぐための保護シートであっても構わない。
【００３６】
シート４３は、切欠部４３ａ、ネジ挿入穴４３ｂおよび凹部４３ｃを有する。
切欠部４３ａはシート４３の表面と裏面とを区別するためのものである。
ネジ挿入穴４３ｂはネジ４５を挿入する部分であり、凹部４３ｃはレンズユニット４０のガイド凹部４４ａに対応する部分である。
【００３７】
レンズカバー４４は、レンズホルダー４２に取り付けられたレンズ４１が浮き上がらないようにするものである。レンズホルダー４２とレンズカバー４４とはネジ４５で固定される。レンズホルダー４２とレンズカバー４４との間にはシート４３を挟み込む。
【００３８】
レンズカバー４４は、４つのレンズ４１の前面が配置される４つのレンズ開口部４４ｂを有する。レンズ開口部４４ｂはレンズ４１の前面より一回り小さい。４つのレンズ開口部４４ｂは円板状のレンズカバー４４に円周状に並んでいる。
さらに、レンズカバー４４は、前面の中央部分にツマミ部４４ｃを有し、裏面に収納部４４ｅを有する。
４つのレンズ開口部４４ｂはツマミ部４４ｃの周りに配置されている。
【００３９】
ツマミ部４４ｃは、レンズユニット４０を灯体１０に収納し易くするため及びレンズユニット４０を灯体１０から取り外し易くするための突起である。つまり、レンズユニット４０にツマミ部４４ｃを設けることにより、レンズユニット４０の交換が容易になる。
ツマミ部４４ｃは、円筒状（または円錐状）を成しており、内部が空洞であり、空洞部分がネジ穴４４ｄになっている。ツマミ部４４ｃ内をネジ穴４４ｄとして利用することにより、必要な長さのネジ穴４４ｄを確保でき、レンズユニット４０を薄型化および小型化することができる。
【００４０】
図９に示すように、収納部４４ｅはレンズホルダー４２およびシート４３を収納できるように円筒状を成している。
さらに、収納部４４ｅはレンズユニット４０を灯体１０に挿入し易いようにテーパー状を成している。
【００４１】
収納部４４ｅは、内側に窪んだガイド凹部４４ａと内側に突起した突部４４ｆとを有する。
ガイド凹部４４ａは、灯体１０のガイド凸部１０ａに係合する部分である（図４参照）。
突部４４ｆは、収納部４４ｅに収納されるレンズホルダー４２とシート４３のそれぞれの切欠部（４２ｄ、４３ａ）に係合する部分であり、シート４３の切欠部４３ａと合致する位置に設けられている。
【００４２】
図１０は、実施の形態１におけるシート４３とレンズカバー４４との背面図である。
実施の形態１におけるシート４３の切欠部４３ａについて、図１０に基づいて以下に説明する。
【００４３】
シート４３には、シート４３の表裏を判別するために２つの切欠部４３ａを設けている。
２つの切欠部４３ａを結ぶ仮想線Ｘはシート４３の中心Ｏを通らない。つまり、２つの切欠部４３ａはシート４３の中心Ｏを通る直線Ｙ上に並ばないように配置されている。
言い換えると、シート４３は、左右および上下で非対称となる位置に複数の切欠部４３ａを有する。切欠部４３ａの数が３つ以上であっても構わない。また、異なる形状の切欠部４３ａを設けてシート４３を左右および上下非対称にしても構わない。
【００４４】
レンズカバー４４には、シート４３の切欠部４３ａと合致する位置に突部４４ｆを設けている。
このため、シート４３を表裏間違えてレンズカバー４４に取り付けることはない。
シート４３は光学特性を有しており、シート４３の表側から光を入射したときとシート４３の裏側から光を入射したときとでは光の透過率や拡散率（屈折率）が異なる。このため、シート４３の表裏を間違えてしまうと必要な光学特性（透過率や拡散率など）が得られない。シート４３の切欠部４３ａとレンズカバー４４の突部４４ｆとは、シート４３の表裏を間違えることを防ぐシート誤挿入防止機構を構成する。
【００４５】
図１１に、組み立て後のレンズユニット４０の正面図と正面図のＣ−Ｃ断面を表す断面図とを示す。
【００４６】
レンズユニット４０を構成するレンズ４１、レンズホルダー４２、シート４３およびレンズカバー４４は、透明または透光性の部材（プラスチック樹脂やガラスなど）で構成するとよい。
光源（ＬＥＤ２２）が照射した光をレンズ４１部分でのみ透過させる場合、レンズ４１から出射される光が強調され、レンズユニット４０を見た看者（ユーザ）が眩しさを感じやすいためである。
レンズユニット４０全体で光を透過すれば、レンズ４１の周囲からの出射光によりレンズ４１からの出射光が強調されず、眩しさ感を和らげることができる。つまり、グレアを改善できる。
【００４７】
ユーザは、レンズユニット４０を交換する際、ツマミ部４４ｃを摘んでレンズユニット４０を灯体１０の開口側から取り出し、レンズ４１およびシート４３を所望の光学特性を有するものに取り換えてレンズユニット４０を組み立て直す。ユーザは、レンズユニット４０のツマミ部４４ｃを摘んでレンズユニット４０を灯体１０の開口側から灯体１０内に収納する（図４、５参照）。
レンズ４１およびシート４３を取り換えることにより、レンズユニット４０の光学特性を様々に変更することができる。
レンズユニット４０を灯体１０に収納する際、レンズユニット４０の外周に備わるガイド凹部４４ａと灯体１０の内側に備わるガイド凸部１０ａは、レンズユニット４０の位置が灯体１０の所定の位置にきたときにレンズ４１の先端（頂部）がＬＥＤ２２に近づくようにガイドする。
【００４８】
図１２は、実施の形態１におけるレンズユニット４０のツマミ部４４ｃの形状例を示す図である。
図１２に示すように、レンズユニット４０のツマミ部４４ｃの形状は（１）円筒状（円錐状）に限らない。例えば、（２）断面十字状や（３）直方体状であってもよい。
さらに、ツマミ部４４ｃに縦溝や横溝を設けて摘みやすく（スベリにくく）してもよい。
このように、レンズユニット４０のツマミ部４４ｃを摘まみやすい形状にすることにより、レンズユニット４０の交換作業の効率を向上させることができる。
【００４９】
図１３は、実施の形態１におけるレンズカバー４４の別形態を示す図である。
図１３に示すように、レンズカバー４４の中央にレンズ開口部４４ｂが配置される場合（ＬＥＤモジュール２０の中央にＬＥＤ２２が配置される場合）、ツマミ部４４ｃをレンズカバー４４の中央に配置することはできない。
この場合、ツマミ部４４ｃは、中央のレンズ開口部４４ｂの周囲ではなくレンズカバー４４の外周近傍に配置するとよい。ツマミ部４４ｃをレンズ開口部４４ｂの周囲に配置すると、ツマミ部４４ｃの影が灯体１０の内枠部に映ってしまう可能性があるためである。ツマミ部４４ｃをレンズカバー４４の外周近傍に配置すれば、ツマミ部４４ｃの影が灯体１０の内枠部に映ることを防ぐことができる。
【００５０】
図１４は、実施の形態１におけるレンズカバー４４の別形態を示す図である。
図１４に示すように、レンズカバー４４の外周にツメ４４ｇ（またはスリット）を設けてもよい。灯体１０の内周には対応するスリット（またはツメ）を設ける。
これにより、レンズユニット４０を灯体１０に挿入したときにツメ４４ｇ（またはスリット）を灯体１０の内枠部に係合させ、レンズユニット４０を灯体１０に仮止めすることができる。
【００５１】
実施の形態１において、例えば、以下のような照明器具について説明した。
ＬＥＤを光源とし、複数のレンズの集合体を有するレンズユニットを有する。また、工具等を使用せずにレンズユニットの着脱が可能な構造を有する。
交換するレンズユニットを保持しやすいように、レンズユニットに突起状のツマミを有する。
レンズユニットは、複数のレンズを個々のレンズの外周で位置決めとして保持するホルダー部（レンズホルダー）と、ホルダー部からレンズが浮き上がることを防止するカバー部（レンズカバー）との２つの部品を備える。
レンズユニットのレンズ表面とカバー部との間には、光学特性を変化させるシートを挟みこむ。
【００５２】
実施の形態２．
レンズの配光特性を容易に判別できる形態について説明する。
実施の形態１と同じ構成または対応する構成には実施の形態１と同じ符号を付し、その構成の説明を省略する。
【００５３】
図１５は、実施の形態２におけるレンズ４１の斜視図である。
実施の形態２におけるレンズ４１について、図１５に基づいて以下に説明する。
【００５４】
レンズ４１は、配光特性を識別する識別部４１ｂをツバ部４１ａに有する。つまり、配光特性の異なるレンズ４１は異なる種類の識別部４１ｂを有する。識別部４１ｂの種類とその識別部４１ｂを有するレンズ４１の配光特性との関係は予め定めておく。
ユーザは、識別部４１ｂを目視確認することによってレンズ４１の配光特性を判別できる。
【００５５】
識別部４１ｂは、凸部や凹部の数、大きさ、形状、模様、色彩などによって区別される。
【００５６】
例えば、（１）第１の配光特性をもつレンズ４１Ａは２つの凸部で構成される識別部４１ｂを有する。
また、（２）第２の配光特性をもつレンズ４１Ｂは１つの大きな凸部で構成される識別部４１ｂを有し、（３）第３の配光特性をもつレンズ４１Ｃは２つの凹部で構成される識別部４１ｂを有する。
【００５７】
図１６および図１７は、実施の形態２におけるレンズユニット４０の分解斜視図である。但し、シート４３とネジ４５を省略している。
【００５８】
図１６に示すように、レンズホルダー４２は、レンズ４１の識別部４１ｂを収める識別対応部４２ｅをレンズ取付部４２ａに有する。
レンズホルダー４２のレンズ取付部４２ａに所定の大きさの凹部を識別対応部４２ｅとして設けることにより、一つのレンズホルダー４２で異なる種類のレンズ４１に対応することができる。
例えば、レンズホルダー４２のレンズ取付部４２ａには図１５に示した（１）〜（３）のいずれのレンズ４１であっても嵌め込むことができる。
つまり、レンズホルダー４２は１種類で足りる。
【００５９】
図１７に示すように、レンズ４１の特定の識別部４１ｂに対応する識別対応部４２ｅをレンズ取付部４２ａに設けてもよい。図１７では、レンズ取付部４２ａの識別対応部４２ｅは、２つの凹部で構成され、レンズ４１Ａの識別部４１ｂの形状に対応している。
これにより、レンズ４１Ａを使用したい場合に間違ってレンズ４１Ｂをレンズホルダー４２に取り付けてしまうことを防ぐことができる（図１５（１）（２）参照）。
使用するレンズ４１に対応するレンズホルダー４２を準備する必要があるが、レンズ４１の取り付けミスを防ぐことができる。
【００６０】
ＬＥＤ用のレンズ４１は小さく、レンズ４１の種類を外見で判断することは困難である。
レンズ４１の外周にレンズ４１の種類を示す識別部４１ｂを設けることにより、レンズ４１の種類を容易に識別することができる。
さらに、複数種類のレンズ４１を組み合わせて用いる場合には、レンズ４１の組み合わせを容易に識別することができる。
【００６１】
実施の形態３．
リングバネ以外の固定具を用いる形態について説明する。
実施の形態１、２と同じ構成または対応する構成には実施の形態１、２と同じ符号を付し、その構成の説明を省略する。
【００６２】
＜実施例１＞
図１８は、実施の形態３（実施例１）における灯体１０の分解斜視図である。
実施の形態３（実施例１）における固定金具６０について、図１８に基づいて以下に説明する。
【００６３】
レンズユニット４０は、固定金具６０により灯体１０に固定される。
【００６４】
固定金具６０は、リング状（筒状）を成し、外側面の先端側にねじ山（係止部６０ａ）を有する。
灯体１０は、内側面の開口側にねじ受け（係止溝１０ｃ）を有する。
【００６５】
固定金具６０が灯体１０に螺着されると固定金具６０の先端部が灯体１０内に収納されたレンズユニット４０に接触する。これにより、レンズユニット４０は灯体１０内に固定される。
【００６６】
レンズユニット４０のガイド凹部４４ａと灯体１０のガイド凸部１０ａとが係止してレンズユニット４０を位置決めしているため（図４参照）、固定金具６０が灯体１０にねじ込まれるときにレンズユニット４０が回転してしまうことはない。
つまり、レンズユニット４０のガイド凹部４４ａと灯体１０のガイド凸部１０ａは、位置決め機能の他に回転防止機能を有する。
【００６７】
＜実施例２＞
図１９は、実施の形態３（実施例２）における灯体１０の分解斜視図である。
実施の形態３（実施例２）における固定金具７０について、図１９に基づいて以下に説明する。
【００６８】
レンズユニット４０は、固定金具７０により灯体１０に固定される。
【００６９】
固定金具７０は、リング状（筒状）を成し、外側面の先端側の対向する２か所にＬ字型の溝部７０ａを有する。さらに、固定金具７０は外側に突起する凸部を溝部７０ａに対応する２か所に有する。以下、この凸部を「ユニットマーク部７０ｂ」という。
灯体１０は、内側面の開口側の対向する２か所に突起部１０ｄを有する。さらに、灯体１０は外側に突起する凸部を突起部１０ｄに対応する２か所に有する。以下、この凸部を「灯体マーク部１０ｅ」という。
【００７０】
灯体１０の突起部１０ｄが固定金具７０の溝部７０ａに収まるように固定金具７０を灯体１０に嵌め込むと固定金具７０の先端部が灯体１０内に収納されたレンズユニット４０に接触する。これにより、レンズユニット４０は灯体１０内に固定される。
【００７１】
灯体１０の灯体マーク部１０ｅと固定金具７０のユニットマーク部７０ｂは、灯体１０の突起部１０ｄが固定金具７０の溝部７０ａの終端に到達したときに互いが重なるような位置に配置されている。つまり、灯体１０の灯体マーク部１０ｅと固定金具７０のユニットマーク部７０ｂは固定金具７０を灯体１０に十分に嵌め込んだときに重なる位置合わせ用の目印である。
この目印により、ユーザは、固定金具７０が十分に灯体１０に嵌め込まれレンズユニット４０が確実に灯体１０に装着されていることを目視確認できる。
なお、灯体マーク部１０ｅとユニットマーク部７０ｂは１組であってもよいし、３組以上であってもよい。また、灯体マーク部１０ｅとユニットマーク部７０ｂは凹状であってもよく、また印刷であってもよい。
【００７２】
レンズユニット４０のガイド凹部４４ａと灯体１０のガイド凸部１０ａとが係止してレンズユニット４０を位置決めしているため（図４参照）、固定金具７０が灯体１０に嵌め込まれるときにレンズユニット４０が回転してしまうことはない。
つまり、レンズユニット４０のガイド凹部４４ａと灯体１０のガイド凸部１０ａは、位置決め機能の他に回転防止機能を有する。
【符号の説明】
【００７３】
１０  灯体、１０ａ  ガイド凸部、１０ｂ  挿入溝、１０ｃ  係止溝、１０ｄ  突起部、１０ｅ  灯体マーク部、１０ｆ  収納部、２０  ＬＥＤモジュール、２１  基板、２２  ＬＥＤ、２３  コネクタ、３０  ＬＥＤモジュールカバー、３１  反射部、３２  コネクタ保護部、３３  収納凹部、４０  レンズユニット、４１，４１Ａ，４１Ｂ，４１Ｃ  レンズ、４１ａ  ツバ部、４１ｂ  識別部、４２  レンズホルダー、４２ａ  レンズ取付部、４２ｂ  ネジ挿入穴、４２ｃ  凹部、４２ｄ  切欠部、４２ｅ  識別対応部、４３  シート、４３ａ  切欠部、４３ｂ  ネジ挿入穴、４３ｃ  凹部、４４  レンズカバー、４４ａ  ガイド凹部、４４ｂ  レンズ開口部、４４ｃ  ツマミ部、４４ｄ  ネジ穴、４４ｅ  収納部、４４ｆ  突部、４４ｇ  ツメ、４５  ネジ、５０  リングバネ、５０ａ  支持部、５０ｂ  ツマミ部、６０  固定金具、６０ａ  係止部、７０  固定金具、７０ａ  溝部、７０ｂ  ユニットマーク部、１００  照明器具、２００  灯具、３００  ユニット本体、４００  アーム。
【図１】
0005430416.tif 000002
【図２】
0005430416.tif 000003
【図３】
0005430416.tif 000004
【図４】
0005430416.tif 000005
【図５】
0005430416.tif 000006
【図６】
0005430416.tif 000007
【図７】
0005430416.tif 000008
【図８】
0005430416.tif 000009
【図９】
0005430416.tif 000010
【図１０】
0005430416.tif 000011
【図１１】
0005430416.tif 000012
【図１２】
0005430416.tif 000013
【図１３】
0005430416.tif 000014
【図１４】
0005430416.tif 000015
【図１５】
0005430416.tif 000016
【図１６】
0005430416.tif 000017
【図１７】
0005430416.tif 000018
【図１８】
0005430416.tif 000019
【図１９】
0005430416.tif 000020